(57)【要約】【課題】モニタキーボード表の出現と消失における制御方法の提供。【解決手段】モニタキーボード表の出現と消失における制御方法は、最低次のステップを含む。（1）タッチ：指でタッチパッドに接触するとモニタ上にキーボード表が出現する。（2）タッチパッドをプッシュ：指でタッチパッドの各文字エリアをプッシュすると、対応する文字が入力される。（3）結末文字入力：入力する文字がもし結末文字である場合、モニタ上のキーボード表は即刻消失する。これらの方法のステップにより、特にユーザーの入力便利性を高めることができ、並びに適時キーボード表を隠してユーザーの検閲に便宜を図る。【選択図】図１
2009032232.tif 000002
【特許請求の範囲】
【請求項１】
モニタキーボード表の出現と消失における制御方法は、少なくとも（1）（2）（3）のステップを含み、
該ステップ（1）はタッチであり、指でタッチパッドに接触するとモニタ上にキーボード表が出現し、
該ステップ（2）はタッチパッドをプッシュであり、指でタッチパッドの各文字エリアをプッシュすると、対応する文字が入力され、
該ステップ（3）は『結末文字入力』であり、入力する文字がもし結末文字である場合、モニタ上のキーボード表は即刻消失することを特徴とするモニタキーボード表の出現と消失における制御方法。
【請求項２】
請求項１記載のモニタキーボード表の出現と消失における制御方法において、前記の結末文字入力のステップにおいて、該結末文字は文を区切るのに用いる文字であることを特徴とするモニタキーボード表の出現と消失における制御方法。
【請求項３】
請求項１記載のモニタキーボード表の出現と消失における制御方法において、前記のタッチパッドをプッシュのステップは、更に時間超過計算ステップを含み、指が該タッチパッドに触れず、設定時間を越えた場合、該モニタ上のキーボード表が消失することを特徴とするモニタキーボード表の出現と消失における制御方法。
【請求項４】
請求項１記載のモニタキーボード表の出現と消失における制御方法において、前記の結末文字入力のステップには、更に編集位置調整文字入力ステップを含み、それは、結末文字を入力する他、編集位置調整文字を入力する場合、モニタ上のキーボード表が消失するが、タッチパッドは依然として文字入力機能を維持することを特徴とするモニタキーボード表の出現と消失における制御方法。
【請求項５】
請求項１記載のモニタキーボード表の出現と消失における制御方法において、前記のキーボード表上には更に、一つの臨時編集器を含み、文字入力時、臨時に先ず該臨時編集器上に表示し、並びに文字列を形成し、結末文字入力した時、該モニタ上のキーボード表が消失し、臨時編集器上の文字列は編集したい文書中に移動、これによりユーザーには全般的な検閲を提供することを特徴とするモニタキーボード表の出現と消失における制御方法。
【請求項６】
請求項２記載のモニタキーボード表の出現と消失における制御方法において、前記の文を区切る文字は、読点、句点、クエスチョンマーク、感嘆符、コロン、セミコロン等のキーであることを特徴とするモニタキーボード表の出現と消失における制御方法。
【請求項７】
請求項４記載のモニタキーボード表の出現と消失における制御方法において、前記の調整文字は、上、下、左、右キーの方向キー、後退削除キー、入力キー、空白キー、タブキーであることを特徴とするモニタキーボード表の出現と消失における制御方法。
【請求項８】
請求項４記載のモニタキーボード表の出現と消失における制御方法において、前記タッチパッドは一つのタッチモニタであることを特徴とするモニタキーボード表の出現と消失における制御方法。
【発明の詳細な説明】
【技術分野】
【０００１】
本発明は、モニタキーボード表の出現と消失における制御方法に関するものであり、これにより、特にユーザーの入力便利性を高め、並びに適時にキーボード表を隠すことができユーザーの閲覧に便宜を図る。
【背景技術】
【０００２】
パソコンは既に携帯式時代へと進化を遂げ、各メーカーは、携帯可能で、随時どこでも操作可能なパソコンの開発を非常に希望している。電力持久力と演算効果は必ず考慮しなければならず、それには半導体業者の開発する節電部品や電池メーカーの開発する高容量電池に頼らなくてはならない。しかしながら、場所の制限を受けないメカニズムは、システム設計メーカーの設計に頼らなければならず、現行のノートブックパソコンは、二部分折り畳み式方式を採用、一部分にはパソコンモニタもう一部分にはキーボードを備え、折り畳み方式によって二者をほぼ垂直にし、机上に置く故、非常に便利に使用できる。しかし、手に持って操作するのは不便で、目下、手に持って操作するケースはほとんどがタブレットパソコンを主軸としている。タブレットパソコンとは、モニタをパソコンボディ上面に設計したものであり、ユーザーは片手でパソコンを抱え片手のタッチペンでタッチモニタ上の機能キーまたは書いてある内容を選択する。
【０００３】
タブレットパソコンは、掌の上で操作可能であるが、多くのパソコンの主な仕事は文字入力に関するものであり、タブレットパソコンは、タッチペンを使って書き込む方式を主な入力方法としている故、この種の方法は、元来のキーボード入力より遅く大変である。携帯便利性には大きな進歩があったものの、入力の便利性には後退が見られ、多くの者はタブレットパソコンの発展に期待を寄せていないのが現状である。よってタブレットパソコンは、例えば、医者の病室巡廻、倉庫の棚卸等ただ選択上で選択するだけの場合や、文字入力の比較的少ない場合の特殊用途に制限されて利用されている。
【０００４】
もう一種の方法は、二段式タッチセンサタッチパッドを利用しモニター上に表示されるキーボード表に組み合わせたものであり、指でタッチパッド上位置に対応する文字をタッチすると、キーボード表中に特別表示がなされ、タッチ時に該文字が入力され、該タッチパッドは、更にタッチ時に段差感を持つように設計されており、並びに、いくつかの二段式タッチセンサタッチパッドを合わせて組み合わせて一つのモニタに対応するキーボード表を形成することもできる。これにより、多くの指で同時操作するのを便利にし、操作感覚は一般の伝統的なキーボードに更に近くなり、面積を極小化し、モニタ上にキーボードの配列と指のタッチ位置を表示することさえも可能であり、本体後方に設計しても同じように操作可能である。
【０００５】
前述方式は全てモニタを使って一つのキーボード表を表示しなければならない為、該キーボード表はモニタの一部を占め、特にタッチモニタは指によるタッチを便利にする為に、通常キーボード表面積も大きく、大半の表示画面を遮る故、いかにモニタ上のキーボード表を必要な時に自動出現させ、不要な時に自動消失させるかが我々の努力目標である。
【発明の開示】
【発明が解決しようとする課題】
【０００６】
一般的に、多くのパソコン作業において、例えば、ネット上でのホームページ閲覧、ゲーム、映画鑑賞等は文字入力を必要としていないが、たとえばe-mailの送信返信、MSNや文書編集等の作業には、やはり文字入力が非常に必要である。これらの作業編集の時にはキーボード表をモニタ上に出現させる必要があるが、編集過程において、自分で書いた結果や文書全体の構造を見なければならないことがよくあり、この時、キーボード表が完全に消失し、モニタを邪魔しないようにすることが希望される。幸いな事に一般人の文字入力の習慣は、一つの単語や全体文の入力が完了してから、注意して入力結果をチェックするのが普通である。
【０００７】
公知の欠点に鑑み、前述問題を解決したいのなら、ユーザーが、例えばスペースキー、句点（ピリオド）、読点（カンマ）、クエスチョンマーク、コロン等文字の結末文字や入力キー（Enter）等を入力した後に、キーボード表を自動的に臨時消失させ、タッチパッド或いはタッチモニタが再度接触された時にキーボード表を再度出現させることが可能である。キーボード表がモニタを遮る不便を減少させることができる。
【０００８】
本発明の主な目的は、一種のモニタキーボード表の出現と消失における制御方法を提供するものであり、それは、敏捷にモニタ上のキーボード表を自動的に出現させて文字入力時に使用でき、入力結果を検閲する時に、該キーボード表が自動的に消失して文書を遮ることを防ぐものである。
【課題を解決するための手段】
【０００９】
本発明に関する方法は、少なくとも下記のステップを含む。
（1）タッチ：指でタッチパッドに接触するとモニタ上のキーボード表が出現する。
（2）タッチパッドをプッシュ：指でタッチパッドの各文字エリアをプッシュすると、対応する文字が入力される。
（3）結末文字入力：入力する文字がもし結末文字である場合、モニタ上のキーボード表は即刻消失する。
【００１０】
前述の本発明の方法において、該タッチパッドは、一つまたは数個のプッシュセンサを利用するタッチパッドを指し、各タッチパッドは座標区分に基づいて数個の文字エリアを形成し、各文字エリアは一つの文字であり、タッチパッドがプッシュされた時、指がタッチパッドの各文字エリアを接触すると、該文字エリアの文字が入力される。
【００１１】
前述の本発明の方法における結末文字入力ステップの結末文字とは、文章記号であり、例えば、読点（カンマ）、句点（ピリオド）、クエスチョンマーク、感嘆符、コロン、空白等の文字であり、文を区切るのに用いる文字である。
【００１２】
前述の本発明の方法におけるタッチパッドをプッシュするステップには、更に時間超過計算のステップを含み、それは即ち、結末文字を入力する他、指が該タッチパッドに触れず設定時間を超えた場合、モニタ上のキーボード表が消失するステップである。
【００１３】
前述の本発明の方法における結末文字入力ステップには、更に編集位置調整文字入力ステップを含み、結末文字を入力する他、それが入力する文字が編集位置調整文字（上下左右等の方向キー、後退削除キー（Backspace）、入力キー（Enter）、空白キー（Space）、タブキー（Tab）等）である場合、モニタ上のキーボード表は消失するが、タッチパッドは依然として文字入力機能を維持するステップである。
【００１４】
前述の本発明の方法において、そのキーボード表上には更に、臨時編集器を含むことが可能であり、文字入力時、臨時に先ず該臨時編集器上に表示し並びに文字列を形成し、結末文字入力時にはモニタ上のキーボード表が消失し、また臨時編集器上の文字列は編集したい文書中に移動、これによりユーザーは全般的な検閲が可能となる。
【発明の効果】
【００１５】
本発明のモニタキーボード表の出現と消失における制御方法は、ユーザーの入力便利性を高め、並びに適時にキーボード表を隠すことができユーザーの検閲に便宜を図ることを特徴とする。
【発明を実施するための最良の形態】
【００１６】
図１に示す通り、本発明は、プッシュセンサを有するタッチパッド1を最低含み、それは座標区分に基づき複数の文字エリア11に分かれ、並びにシステムに組み合わせて一つのモニタ2上に一つのキーボード表21を表示し（該キーボード表21内の文字定義はシステムに基づき変化させることが可能）、且つ、各文字エリア11は該キーボード表21上の一つの文字211に対応している。タッチパッド1がプッシュされた場合、指が触れたタッチパッド1の文字エリア11が対応するキーボード表21の文字211に入力されることを示す。
【００１７】
以上の部品の組み合わせにより、本発明の方法3の作動を提供するが、そのステップ（図２参照）には最低次のステップを含む。
（1）タッチ（ステップ31）：指でタッチパッド1に接触するとモニタ2上のキーボード表21が出現する（ステップ311）。
（2）タッチパッドをプッシュ（ステップ32）：指でタッチパッド1の文字エリア11をプッシュすると、対応する文字が入力される（ステップ321）。
（3）結末文字入力（ステップ33）：入力する文字がもし結末文字である場合、モニタ2上のキーボード表21は即刻消失し（ステップ331）並びに終了する。
【００１８】
前述の本発明の方法における結末文字入力ステップの結末文字は句読点符合であり、例えば、読点（カンマ）、句点（ピリオド）、クエスチョンマーク、感嘆符、コロン、空白等の文字で、文を区切るのに用いる文字である。
【００１９】
図３に、本発明の実施例２を示す。指がタッチパッド1の文字エリア11に触れず設定時間Ｔを超過した場合（該設定時間Ｔは需要に基づき時間の長さを設定可能）、モニタ2上のキーボード表21が消失し、ユーザーがモニタ2を全般的に検閲するのに便利である。またこの実施例２の方法4中のステップ41、411、42、421、43、431及びその作動の流れは前述実施例と同様である故、ここでは説明を省略する。前述した『タッチパッドプッシュ』のステップ42において、指がタッチパッドに触れず（ステップ422）『時間超過計算』ステップ（ステップ44）に入った場合、即ち、設定時間Ｔを越えた時、タッチパッド1を未接触である（ステップ422、44）と、モニタ2上のキーボード表21（ステップ431）が消失する。
【００２０】
図４に、本発明の実施例３を示す。その内のステップ51、511、52、521、522、53、531、54及びその作動の流れは、前述の実施例２と同様である他、該方法5の結末文字入力のステップ53において、更に『編集位置調整文字入力』のステップ55を含む。それは即ち、本発明の方法5は入力文字が結末文字である他、入力する文字が編集調整文字である場合もまた、モニタ2上のキーボード表21（ステップ551）が消失するが、タッチパッド1（タッチモニタ）は依然として文字入力機能を維持する。これによりユーザーが再度同一の調整文字をプッシュした場合、該調整文字（ステップ552、553）入力を実行する。
【００２１】
また前述の本発明の方法5は、編集位置調整文字入力のステップ55、551であり、その内の該調整文字とは、上下左右の方向キー、後退削除キー（Backspace）、入力キー（Enter）、空白キー（Space）、タブキー（Tab）等のキー文字を指す。
【００２２】
前述方法のステップにより、敏捷にモニタ2上のキーボード表21を自動的に出現させることができ、文字入力の実行を提供し、入力結果の検閲時には、該キーボード表21が自動消失し文書を遮ることがない。ここで一つの具体的な実施例を挙げてその作動を次の通り説明する。
【００２３】
図５に示す通り、タッチパッド1に触れていない場合、キーボード表21が表示されることはなく、ユーザーがタッチパッド1に接触した時に、モニタ2にキーボード表21が表示され（図６参照）ユーザーに文字入力をさせる。例えば“Dear Johnson”等の文字を入力したい場合、ユーザーが結末文字（例えばカンマ）を入力すると、キーボード表21は消失し（図７参照）、ユーザーが入力データを検閲するのに便宜を図る。ユーザーが入力した文字が一つの編集位置調整文字である時（例えば図８のリターンキー）もまた、キーボード表21は消失し、ユーザーが入力位置の検閲をするのを便利にする。
【００２４】
図９、図１０に示す通り、本発明のキーボード表21上には更に一つの臨時編集器22を設け、文字入力時、臨時に先ず該臨時編集器22上に表示し、並びに結末文字を入力するまで文字列221を形成し、結末文字を入力した時（例えば図１０に示したピリオド）、モニタ2上のキーボード表21が即刻消失する。また臨時編集器22上の文字列221は編集したい文書上に移動、これによりユーザーは全般的な検閲が可能となる。
【００２５】
前述した通り、本発明のモニタキーボード表の出現と消失における制御方法は、敏捷にモニタ上のキーボード表を自動的に出現させ、文字入力時の実行を提供し、また入力結果を検閲する時に、該キーボード表が自動消失して文書を遮るのを防ぐ。
【図面の簡単な説明】
【００２６】
【図１】本発明の実施例に関する概略図である。
【図２】本発明の実施例１に関する作動フローチャートである。
【図３】本発明の実施例２に関する作動フローチャートである。
【図４】本発明の実施例３に関する作動フローチャートである。
【図５】本発明の操作を示す概略図である。
【図６】本発明の操作を示す概略図である。
【図７】本発明の操作を示す概略図である。
【図８】本発明の操作を示す概略図である。
【図９】本発明の操作を示す概略図である
【図１０】本発明の操作を示す概略図である。
【符号の説明】
【００２７】
1    タッチパッド
11   文字エリア
2    モニタ
21   キーボード表
211  文字
22   臨時編集器
221  文字列
3、4、5  方法
31、311、32、321、33、331  ステップ
41、411、42、421、422      ステップ
43、431、44                ステップ
51、511、52、521、522      ステップ
53、531、54                ステップ
55、551、552、553          ステップ
【図１】
2009032232.tif 000003
【図２】
2009032232.tif 000004
【図３】
2009032232.tif 000005
【図４】
2009032232.tif 000006
【図５】
2009032232.tif 000007
【図６】
2009032232.tif 000008
【図７】
2009032232.tif 000009
【図８】
2009032232.tif 000010
【図９】
2009032232.tif 000011
【図１０】
2009032232.tif 000012